(57)【要約】      （修正有）【課題】高価で複雑な装置を用いず、主に化学工場において使用する、容易に着脱可能な透視灯を置くための台を提供する。【解決手段】設置台１とその設置台１を支える支持部２、及び取付部部３から構成され、取付部３は配管の継目の隙間に挿入可能な構造であることを特徴とする。更には必要に応じ長さ調節部４を設けることで、安価で、かつ容易に着脱が可能であり、必要に応じ容易に位置調節も可能にした透視灯を置くための台を提供可能とした。【選択図】図１
0003176040.tif 000002
【実用新案登録請求の範囲】
【請求項１】
覗き窓視認用の透視灯の設置台において、設置台とその設置台を支える支持部から構成され、前記支持部の片端は覗き窓に通じる配管の継目の隙間に挿入可能な構造であることを特徴とする透視灯の設置台。
【考案の詳細な説明】
【技術分野】
【０００１】
本考案は、高価で複雑な装置を用いず、化学工場において使用する、透視灯を置くための台を提供する。
【背景技術】
【０００２】
化学工場において、配管を流れる液体の状態等を確認する為、配管の途中にガラス製の覗き窓を設けることが良く行われている。しかし、配管を流れる液体の色や特性によっては、そのままガラス越しに視認するだけではどのような状態で液体が流れているのか等の確認が困難な場合がある。このような場合、覗き窓の背面に透視灯と呼ばれる光源を設置し、この光源から発生する光により配管を流れる液体の状態等を確認することが可能となる。
【０００３】
しかしながら、化学工場においては配管の組み換えを頻繁に行っており、前記の覗き窓の設置場所も必要に応じて移動する。それにあわせ透視灯を設置しようとした場合、一般的に透視灯は大きく重量があることから、その取り扱いは容易でなく、その都度透視灯を移設することは非常に手間である。更に、配管と配管やその他の装置等との間隔が狭い場合、物理的に透視灯を設置することが不可能なケースもあり得る。このような問題を解決する為、透視灯の小型化を図った発明（特許文献１）も提案されているが、これでも依然、その大きさは十分に小さくなく、その都度透視灯を移設することは非常に手間であったり、あるいは取付時に配管と配管やその他の装置等と干渉し、固定化できないケースが往々にしてあり得る。
【０００４】
このような理由から、実際には固定式の透視灯に変わるような光源、例えば移動式の透視灯や防爆形の懐中電灯等を作業員が手で持ち、固定式の透視灯と同じように覗き窓の背後から光を照射するようなことが頻繁に行われている。
【０００５】
【特許文献１】特開平１０−３２１０３２号公報
【考案の開示】
【考案が解決しようとする課題】
【０００６】
しかしながら、透視灯に変わる光源を作業員が手で持つことにより、少なくても片手が塞がってしまうことから、その分作業効率が低下してしまうという問題があった。また、化学工場で頻繁に行われる、液体と液体を分離する作業である「分液」を実施する場合、その作業時間は長時間にわたるケースもよく見られ、この作業中、作業員が透視灯に変わる光源を手で持ち続けることは肉体的にも非常に負担のかかる作業であった。
【課題を解決するための手段】
【０００７】
本考案は、これらの問題を解決する為、覗き窓視認用の透視灯の設置台であって、設置台とその設置台を支える支持部から構成され、前記支持部の片端は覗き窓に通じる配管の継目の隙間に挿入可能な構造であることを特徴とする透視灯の設置台を提供する。
【考案の効果】
【０００８】
本考案の透視灯の設置台によれば、今まで作業員が手で持っていた固定式の透視灯に変わる光源を、覗き窓の背面に設置できるようになり、作業員の作業効率の改善、肉体的負担の低減が可能となる。また、その透視灯の設置台は覗き窓直下の配管の継ぎ目に挿入するだけで取り付け可能であることから、特に配管の組み換えを頻繁に行っている化学工場において非常に有用である。
【考案を実施するための最良の形態】
【０００９】
本考案の透視灯の設置台は、支持台とその支持台を支える支持部から構成され、その材質は、支持台上に透視灯に代わる光源の重量に十分耐えるものであればどのようなものでも良い。例えば、金属、ポリカーボネートのような強靭なプラスチック類、木などが挙げられる。
【００１０】
本考案の透視灯の設置台における支持台は、透視灯に代わる光源を設置可能な大きさを有していればどのような形状でも良い。また、透視灯に代わる光源の落下を防止する為、内側へ湾曲を設けたり、すべり防止効果のあるような材質を、光源設置面に貼り付けることも可能である。
【００１１】
本考案の透視灯の設置台における支持部は前記支持台を片端に有し、もう片端は覗き窓に通じる配管の隙間に挿入可能な形状を有している。配管の隙間に挿入可能な形状とは、例えば配管の隙間より薄い平板状の構造とするだけでも良いが、挿入後、確実に固定する為に、前記平板状の中心部に孔を設け、その孔にボルトを通すことで固定可能な形状とする、配管を固定するボルトと同径の切込みを設け、ワッシャーのようにボルトとフランジの隙間に固定可能な形状とすること等も可能である。
【００１２】
また、前記支持部は、取付部と支持台の長さを調整できるように、長さ調整部を有した構造としても良い。この長さ調整部は例えば、同じ幅の２枚の金属板を重ね合わせ、複数の調整用孔を設け、必要の長さに応じてこの２枚の金属をずらし、孔をボルトで固定する等の方法で長さを調整可能とする。
【００１３】
以上詳述したように本考案の透視灯の設置台を用いる事によって、今まで作業員が手で持っていた固定式の透視灯に変わる光源を、覗き窓の背面に設置できるようになり、作業員の作業効率の改善、肉体的負担の低減が可能となる。さらには、その透視灯の設置台は覗き窓直下の配管の継ぎ目に挿入するだけで取り付け可能であることから、特に配管の組み換えを頻繁に行っている化学工場において非常に有用である。
【図面の簡単な説明】
【００１４】
【図１】本考案の透視灯の設置台の具体的一実施例の正面図である。
【図２】本考案の透視灯の設置台の具体的一実施例の実施状況を表した図である。
【実施例】
【００１５】
以下添付図に従って、一実施例を説明する。本考案の透視灯の設置台は、例えば図１に示す通り、支持台１と取付部３を両端に有し、支持部２と長さ調整部４とでこれらを接続した構造とした。長さ調整部４は２枚の鉄板を重ね合わせ、調整用の孔を設け、必要に応じて長さを調整できる形とした。また、図２は、この透視灯の設置台を実際に適用させた例を示している。取付部３を、覗き窓直下のフランジ部の隙間に挿入し、さらに支持台１の高さを覗き窓６と一致するように調整した上で、支持台１上に光源５を設置した。これにより、作業員が光源５を手で持つことなく覗き窓６より、配管内を流れる液体の状態を確認することが可能となった。
【符号の説明】
【００１６】
１                    ：支持台
２                    ：支持部
３                    ：取付部
４                    ：長さ調節部
５                    ：光源
６                    ：覗き窓
【図１】
0003176040.tif 000003
【図２】
0003176040.tif 000004
【手続補正書】
【提出日】平成24年3月26日(2012.3.26)
【手続補正１】
【補正対象書類名】実用新案登録請求の範囲
【補正対象項目名】全文
【補正方法】変更
【補正の内容】
【実用新案登録請求の範囲】
【請求項１】
覗き窓視認用の透視灯の設置台において、設置台とその設置台を支える支持部から構成され、前記支持部の片端は配管の隙間より薄い平板状の構造であることを特徴とする透視灯の設置台。